(57)【特許請求の範囲】
【請求項１】
筐体に設けられチャッキングプーリーを支持するプーリー支持部と、
筐体内に設けられディスク状記録媒体の半径方向へ移動する光学ピックアップと、
筐体内に配置されチャッキングプーリーとともにディスク状記録媒体をチャッキングするディスクテーブルと、
筐体に対して着脱自在にされると共に筐体に取り付けられた状態において光学ピックアップを遮蔽するもので、その天板部に複数の突部を設けたカバー体とを備えた
ディスク記録及び／又は再生装置。
【請求項２】
前記天板部には、前記複数の突部のうちの２つの突部の間に開口が形成され、該開口は前記筐体の前記プーリー支持部の左右両端部を除く部分と同じ形状に形成されている
請求項１に記載のディスク記録及び／又は再生装置。
【請求項３】
筐体とカバー体とに両者の位置決めをするための位置決め部を設けた
請求項１に記載のディスク記録及び／又は再生装置。
【請求項４】
カバー体の原材料の原色よりも光の吸収率の高い色でカバー体を形成した
請求項１に記載のディスク記録及び／又は再生装置。
【請求項５】
原材料に所定の顔料を含有させて着色しカバー体を形成した
請求項４に記載のディスク記録及び／又は再生装置。
【請求項６】
筐体はベースシャーシ上に配置され、
筐体にカバー体を取り付けた状態において該カバー体の端縁がベースシャーシに密着するようにした
請求項１に記載のディスク記録及び／又は再生装置。
【発明の詳細な説明】
【０００１】
【発明の属する技術分野】
本発明はディスク記録及び／又は再生装置に関する。詳しくは、ディスク状記録媒体に対して情報信号の記録若しくは再生又はこれらの双方を行うディスク記録及び／又は再生装置についての技術分野に関する。
【０００２】
【従来の技術】
ディスク状記録媒体に対して情報信号の記録若しくは再生又はこれらの双方を行うことのできるディスク記録及び／又は再生装置があり、このようなディスク記録及び／又は再生装置には、光学ピックアップ、ディスクテーブル、チャッキングプーリー等の各部が筐体に設けられたメカデッキブロックを備えているものがある。
【０００３】
ディスク記録及び／又は再生装置にあっては、光学ピックアップの駆動時に照射されるレーザー光のメカデッキブロックからの漏れを防止する必要があり、従来のディスク記録及び／又は再生装置のメカデッキブロックにおいては、少なくとも上面が開口された箱状を為す筐体の当該上面を上蓋によって閉塞して漏れ光の発生を防止していた。
【０００４】
【発明が解決しようとする課題】
従来のディスク記録及び／又は再生装置におけるメカデッキブロックにあっては、筐体の上面の全体を覆う上蓋を設けているため、上蓋にチャッキングプーリーが回転自在に支持されている。
【０００５】
ところが、例えば、ディスク状記録媒体の回転状態を検査する場合やメカデッキブロックの各部の修理を行う場合等には、上蓋を取り外してこれらの検査や修理を行う場合が多く、従来のディスク記録及び／又は再生装置にあっては、上蓋を取り外すと該上蓋とともにチャッキングプーリーが筐体と分離してしまうため、ディスク状記録媒体の回転が不能であり、また、ディスク状記録媒体の回転が不能なため各部の動作状態を適正に把握することができず、検査や修理に支障を来たすという問題があった。
【０００６】
そこで、本発明ディスク記録及び／又は再生装置は、上記した問題点を克服し、ディスク記録及び／又は再生装置の各部についての検査や修理を適正に行うことができるようにすることを課題とする。
【０００７】
【課題を解決するための手段】
本発明ディスク記録及び／又は再生装置は、上記した課題を解決するために、筐体に設けられチャッキングプーリーを支持するプーリー支持部と、筐体内に設けられディスク状記録媒体の半径方向へ移動する光学ピックアップと、筐体内に配置されチャッキングプーリーとともにディスク状記録媒体をチャッキングするディスクテーブルと、筐体に対して着脱自在にされると共に筐体に取り付けられた状態において光学ピックアップを遮蔽するもので、その天板部に複数の突部を設けたカバー体とを設けたものである。
【０００８】
従って、本発明ディスク記録及び／又は再生装置にあっては、カバー体を筐体から分離してもチャッキングプーリーが筐体から分離されない。
【０００９】
【発明の実施の形態】
以下に、本発明ディスク記録及び／又は再生装置の実施の形態を添付図面を参照して説明する。
【００１０】
尚、以下に示した実施の形態は、本発明をデジタルビデオディスク等の光ディスクに記録された信号の再生を行うことができる光ディスク再生装置に適用したものである。
【００１１】
光ディスク再生装置１は、外筐２内に所要の各部材及び各機構が配置されて成る（図１参照）。
【００１２】
外筐２は、覆い部３とベースシャーシ４とフロントパネル５とバックパネル６とが結合されて成る。覆い部３は上面部３ａと該上面部３ａの両側縁から垂設された側面部３ｂ、３ｂとが一体に形成されて成る。そして、外筐２は覆い部３とベースシャーシ４とが上下で結合されると共に前面と後面にそれぞれフロントパネル５とバックパネル６が取り付けられて構成される。
【００１３】
フロントパネル５には、その右側の部分に、各種の動作状態を表示する表示部５ａと各種の操作を行うための操作釦５ｂ、５ｂ、・・・及び操作摘子５ｃが設けられている。そして、フロントパネル５の左側の部分には横長の挿脱口５ｄが形成されている。
【００１４】
外筐２内には、ビデオ回路基板７、オーディオ回路基板８、チューナー部９、デジタル回路ブロック１０、アナログ回路ブロック１１、メカデッキブロック１２がベースシャーシ４又はバックパネル６に取り付けられることにより設けられる。
【００１５】
デジタル回路ブロック１０は、光ディスクの再生動作の制御や再生されたデジタル信号の処理等を行うブロックであり、モータードライバー１３、サーボブロック１４、システムコントロールマイコン１５、インターフェースマイコン１６、ＲＦ信号処理ブロック１７、映像・音声信号デコードブロック１８、Ｄ―ＲＡＭ１９、デジタル音声信号処理ブロック２０、音声信号用Ｄ／Ａ変換ブロック２１及び映像信号用Ｄ／Ａ変換ブロック２２を有している（図２参照）。
【００１６】
アナログ回路ブロック１１は、図示しない電源ブロックとアンプブロック２３とを備え、該アンプブロック２３は複数チャンネル分の音声信号アンプブロック２４、２４、・・・を有している（図２参照）。
【００１７】
メカデッキブロック１２は、後述する各構成要素の他、ＲＦ―ＥＱアンプ２５、スピンドルモーター２６、ローディングモーター２７、スレッドモーター２８及び光学ピックアップ２９を有している（図２参照）。
【００１８】
以下に、上記した各ブロック１０、１１、１２の各部の光ディスクに記録された信号の再生時における動作について説明する（図２参照）。
【００１９】
モータードライバー１３はメカデッキブロック１２の各モーター、即ち、スピンドルモーター２６、ローディングモーター２７、スレッドモーター２８の駆動を司り、サーボブロック１４を介してシステムコントロールマイコン１５によって制御される。
【００２０】
サーボブロック１４はシステムコントロールマイコン１５によって制御される。光ディスク１００がスピンドルモーター２６によって回転されたときに、サーボブロック１４によってスレッドモーター２８に回転サーボがかけられ、また、光学ピックアップ２９に対してフォーカスサーボ及びトラッキングサーボがかけられる。
【００２１】
光学ピックアップ２９においては、半導体レーザーから出射され光ディスク１００で反射された戻り光が光検出器に入射され、光検出器からＲＦ信号が出力される。出力されたＲＦ信号はＲＦ―ＥＱアンプ２５においてイコライジング処理が為され、ＲＦ信号処理ブロック１７に送出されてデコード処理され２値のデジタル信号に変換される。
【００２２】
このデジタル信号は、映像・音声信号デコードブロック１８でデコード処理及び伸長処理が為され、伸長処理されたデジタル映像信号と伸長処理されたデジタル音声信号が出力される。映像・音声信号デコードブロック１８には、記憶手段としてのＤ―ＲＡＭ１９が接続されている。
【００２３】
伸長処理されたデジタル映像信号は、映像信号用Ｄ／Ａ変換ブロック２２に入力されてＤ／Ａ変換され、アナログ変換された映像信号が、例えば、光ディスク再生装置１に接続されたテレビ受像器等の映像出力装置３０に入力されて映像が表示される。
【００２４】
一方、伸長処理されたデジタル音声信号は、デジタル音声信号処理ブロック２０に入力され、例えば、複数チャンネルの音声を圧縮したデジタル信号の場合には、デジタル音声信号処理ブロック２０においてさらに伸長処理され、この伸長処理された複数チャンネルのデジタル音声信号が出力される。そして、デジタル音声信号処理ブロック２０から出力されたデジタル音声信号は、音声信号用Ｄ／Ａ変換ブロック２１に入力されてアナログ変換され、アンプブロック２３の各音声信号アンプブロック２４、２４、・・・に送出される。
【００２５】
アナログ信号は音声信号アンプブロック２４、２４、・・・において増幅され、光ディスク再生装置１に接続されたスピーカー（フルレンジスピーカー、低域専用スピーカー）３１、３１、・・・から音声が出力される。
【００２６】
上記した映像・音声信号デコードブロック１８、映像信号用Ｄ／Ａ変換ブロック２２及びデジタル音声信号処理ブロック２０はシステムコントロールマイコン１５によって制御され、音声信号用Ｄ／Ａ変換ブロック２１はインターフェースマイコン１６によって制御される。
【００２７】
尚、フロントパネル５に設けられた操作部５ｂ、５ｂ、・・・の操作によって生成された操作信号はインターフェースマイコン１６に入力され、また、インターフェースマイコン１６から表示信号が出力されてフロントパネル５に設けられた表示部５ａに所定の表示が為される。
【００２８】
メカデッキブロック１２は、筐体３２と該筐体３２に支持又は配置された各部材及び各機構と筐体３２に対して着脱自在にされたカバー体３３とによって構成される。
【００２９】
筐体３２は黒色に着色された、例えば、ポリカーボネート等の樹脂材料によって形成され、上方に開口された箱状を為す配置部３４と該配置部３４の上面側に設けられたプーリー支持部３５とが一体に形成されて成る（図３及び図４参照）。
【００３０】
プーリー支持部３５は配置部３４の左側面部３４ａ、右側面部３４ｂの前後方向における略中央部の上端間を連結するように設けられ、プーリー支持部３５には左右方向における中央部にチャッキングプーリー３６が回転自在に支持されている。
【００３１】
筐体３２には、３つの位置決め部３７、３８、３９が設けられ、該位置決め部３７、３８、３９は左側面部３４ａ又は右側面部３４ｂに設けられ、上下方向に延び左側面部３４ａ又は右側面部３４ｂの外面から外方に突出し横断面形状が半円弧状を為すように形成されている。位置決め部３７は左側面部３４ａの後端寄りの位置に設けられ、位置決め部３８、３９は右側面部３４ｂの後半部に前後に離間して設けられている。
【００３２】
筐体３２の左側面部３４ａ、右側面部３４ｂの各上面には、位置決め部３７、３８に対応する位置に、位置決め突起４０、４０が設けられている。また、左側面部３４ａ、右側面部３４ｂの各上面には、位置決め部３９に対応する位置とプーリー支持部３５の左端部の直ぐ後側に、螺孔４１、４１が形成されている。
【００３３】
筐体３２内には、ベースユニット４２が後端部を支点として回動自在に支持され、該ベースユニット４２に上記光学ピックアップ２９が所定の方向へ移動自在に支持されている。そして、ベースユニット４２には上記スピンドルモーター２６が取り付けられ、該スピンドルモーター２６のモーター軸にディスクテーブル４３が固定されている。また、筐体３２内には、上記ローディングモーター２７及びスレッドモーター２８が配置されている。
【００３４】
筐体３２の配置部３４の上端寄りの位置には、ディスクトレー４４が前後方向へ移動自在に支持されている。ディスクトレー４４には、光ディスク１００を載置するための載置凹部４４ａ及びディスクテーブル４３等を配置するための配置孔４４ｂが形成され、前端部に飾りパネル４５が取り付けられる。
【００３５】
ディスクトレー４４は、ローディングモーター２７によって前後方向へ移動され、筐体３２内から前方へ移動されると、フロントパネル５の挿脱口５ｄから外筐２外へ引き出される。そして、引き出されたディスクトレー４４の載置凹部４４ａに光ディスク１００を載置し、一の操作釦５ｂを操作すると、ディスクトレー４４が後方へ移動されて再び筐体３２内に位置される。
【００３６】
ディスクトレー４４が筐体３２内に位置されると、ベースユニット４２が回動されて光学ピックアップ２９及びディスクテーブル４３が上昇され、配置孔４４ｂから上方へ突出されたディスクテーブル４３とプーリー支持部３５に支持されているチャッキングプーリー３６とによって光ディスク１００がチャッキングされる。そして、チャッキングされた光ディスク１００は、スピンドルモーター２６の駆動によって回転されるディスクテーブル４３に伴って回転され、このとき、光学ピックアップ２９の対物レンズを介してレーザー光が光ディスク１００に照射されると共に光学ピックアップ２９が光ディスク１００の半径方向へ移動されて記録された信号の再生が行われ、上記した音声の出力や映像の表示が為される。
【００３７】
カバー体３３は、黒色に着色された、例えば、ポリカーボネート等の樹脂材料によって形成され、天板部４６と該天板部４６の左右両側縁からそれぞれ垂設された左側板部４７、右側板部４８と天板部４６の後縁から垂設された後板部４９とが一体に形成されて成り、左側板部４７、右側板部４８の各後縁と後板部４９の各側縁とがそれぞれ連続されている（図４及び図５参照）。
【００３８】
カバー体３３の天板部４６には縦横に延びる補強リブ４６ａ、４６ａ、・・・が形成されている。また、カバー体３３の天板部４６には、所定の位置に突部５０、５１、５２、５３、５４が設けられている。
【００３９】
突部５０、５１は、それぞれ天板部４６の前端寄りの位置の左右両端部に設けられ、縦長の矩形状を為し、天板部４６の一部を他の部分より上方に位置させることによって形成されている。従って、突部５０、５１の下面側には、それぞれ下方に開口する配置凹部５０ａ、５１ａが形成される（図７参照）。そして、突部５０の左端部及び突部５１の右端部には、それぞれさらに上方へ突出された前後方向に延びる突条部５０ｂ、５１ｂが形成されている。
【００４０】
突部５２、５３は、それぞれ突部５０、５１の後側にこれらと離間して設けられ、厚みの薄い壁状に形成されている。
【００４１】
突部５４は、天板部４６の左右方向における中央部でその後端部に設けられ、厚みの薄い壁状に形成されている。
【００４２】
上記した突部５０、５１の突条部５０ａ、５１ａと突部５２、５３、５４とは、上端が同じ高さ位置にあるように形成されている。
【００４３】
天板部４６には、突部５０、５１間に開口４６ｂが形成され、該開口４６ｂは筐体３２のプーリー支持部３５の左右両端部を除く部分と同じ形状に形成されている。
【００４４】
カバー体３３には、３つの位置決め部５５、５６、５７が設けられ、該位置決め部５５、５６、５７は左側板部４７又は右側板部４８に設けられ、上下方向に延び左側板部４７又は右側板部４８の外面から外方に突出し横断面形状が半円弧状を為すように形成されている。位置決め部５５は左側板部４７の後端寄りの位置に設けられ、位置決め部５６、５７は右側板部４８の後半部に前後に離間して設けられている。
【００４５】
カバー体３３の天板部４６には、位置決め部５５、５６に対応する位置に、位置決め孔５８、５８が形成されている。また、天板部４６の位置決め部５７に対応する位置と突部５０の直ぐ後側に、ネジ挿通孔５９、５９が形成されている。
【００４６】
カバー体３３は筐体３２に取り付けられる。この取付に際しては、カバー体３３を筐体３２に対して外側から覆うようにして結合し（図５参照）、このときカバー体３３の位置決め部５５、５６、５７を筐体３２の位置決め部３７、３８、３９にそれぞれ対応して位置させ（図４参照）、カバー体３３を筐体３２の上側から覆っていくことにより位置決め部５５、５６、５７の内面と位置決め部３７、３８、３９の外面とが摺接される。
【００４７】
従って、位置決め部５５、５６、５７と位置決め部３７、３８、３９とによってカバー体３３の筐体３２に対する位置決めを容易に行うことができる。
【００４８】
カバー体３３を筐体３２に結合した状態においては、筐体３２の位置決め突起４０、４０が、それぞれカバー体３３の位置決め孔５８、５８に挿入される。そして、筐体３２のプーリー支持部３５は、左右両端部を除く部分がカバー体３３の開口４６ｂに内嵌状に配置され、プーリー支持部３５の左右両端部がそれぞれカバー体３３の配置凹部５０ａ、５１ａに配置される。この状態で取付ネジをカバー体３３のネジ挿通孔５９、５９に挿通し筐体３２の螺孔４１、４１に螺合することによりカバー体３３の筐体３２への取付を完了する。
【００４９】
カバー体３３が筐体３２に取り付けられた状態においては、カバー体３３によって光学ピックアップ２９等の筐体３２内に配置された各部が覆われる。
【００５０】
従って、カバー体３３が筐体３２に取り付けられることにより、光学ピックアップ２９の駆動時にレーザー光のメカデッキブロック１２からの漏れの防止を図ることができると共に外部からの筐体３２内への塵埃の侵入を防止することができる。
【００５１】
上記のようにして構成されたメカデッキブロック１２はベースシャーシ４に、例えば、ネジ止め、溶着等の適宜の手段によって取り付けられる。
【００５２】
メカデッキブロック１２がベースシャーシ４に取り付けられた状態においては、ベースシャーシ４とメカデッキブロック１２との間に配線上の隙間が必要とされる部分を除いて、カバー体３３の左側板部４７、右側板部４８及び後板部４９とベースシャーシ４とが密着した状態とされる（図６参照）。
【００５３】
従って、光学ピックアップ２９の駆動によってレーザー光が発せられたときに、カバー体３３の下端とベースシャーシ４との間からレーザー光の漏れが生じ難いと共に筐体３２内に塵埃が侵入し難い。
【００５４】
以上に記載した通り、上記した光ディスク再生装置１にあっては、チャッキングプーリー３６を支持した筐体３２に対してカバー体３３が着脱自在とされているため、光ディスク１００の回転状態を検査する場合やメカデッキブロック１２の各部の修理を行う場合等に、カバー体３３を筐体３２から取り外してもチャッキングプーリー３６が筐体３２から分離してしまうことがなく、メカデッキブロック１２の各部の動作状態を適正に把握することができ、適正な検査や修理を行うことができる。
【００５５】
また、カバー体３３の天板部４６に突部５０、５１、５２、５３、５４を設けたので、天板部４６に直接荷重がかかった場合、又は、外筐２の上面への荷重により天板部４６に荷重がかかってしまった場合に、突部５０、５１、５２、５３、５４によって応力が分散され、メカデッキブロック１２の各部の保護を図ることができる。
【００５６】
さらに、光ディスク再生装置１にあっては、黒色のカバー体３３及び筐体３２を用いているため、光学ピックアップ２９の駆動時に発せられたレーザー光がカバー体３３又は筐体３２に吸収され易く、レーザー光がメカデッキブロック１２から外部へ漏れ難い。
【００５７】
尚、光ディスク再生装置１にあっては、カバー体３３及び筐体３２をこれらの原材料に所定の顔料を含有させて黒色に着色しており、カバー体３３及び筐体３２を黒色に形成する作業が容易であり作業性の向上を図ることができる。
【００５８】
また、上記には、カバー体３３及び筐体３２を黒色に形成した場合を示したが、カバー体３３及び筐体３２を、これらの原材料の原色よりも光の吸収率の高い色で形成すればレーザー光の外部への漏れを防止することが可能であり、カバー体３３及び筐体３２の色として、例えば、黒色の他、茶色やグレー等の寒色系の色を用いてもよい。
【００５９】
さらに、カバー体３３の天板部４６と外筐２の上面との間には突部５０、５１、５２、５３、５４の高さ分の隙間が生じるが、例えば、筐体３２内に配置されていた回路基板等をこの隙間に配置することも可能である。このようにすれば、配置スペースの有効活用が図られ、メカデッキブロック１２の小型化による光ディスク再生装置１の小型化を図ることができる。
【００６０】
上記した実施の形態において示した各部の具体的な形状及び構造は、何れも本発明の実施を行う際の具体化のほんの一例を示したものにすぎず、これらによって本発明の技術的範囲が限定的に解釈されることがあってはならないものである。
【００６１】
【発明の効果】
以上に記載したところから明らかなように、本発明ディスク記録及び／又は再生装置は、上記した課題を解決するために、筐体に設けられチャッキングプーリーを支持するプーリー支持部と、筐体内に設けられディスク状記録媒体の半径方向へ移動する光学ピックアップと、筐体内に配置されチャッキングプーリーとともにディスク状記録媒体をチャッキングするディスクテーブルと、筐体に対して着脱自在にされると共に筐体に取り付けられた状態において光学ピックアップを遮蔽するもので、その天板部に複数の突部を設けたカバー体とを備えたことを特徴とする。
【００６２】
従って、ディスク状記録媒体の回転状態を検査する場合や各部の修理を行う場合等に、カバー体を筐体から取り外してもチャッキングプーリーが筐体から分離してしまうことがなく、ディスク記録及び／又は再生装置の各部の動作状態を適正に把握することができ、適正な検査や修理を行うことができる。
【００６３】
また、光学ピックアップの駆動時にレーザー光の筐体からの漏れの防止を図ることができると共に外部からの筐体内への塵埃の侵入を防止することができる。
【００６４】
請求項１に記載した発明にあっては、カバー体の天板部に突部を設けたので、天板部に直接荷重がかかった場合、又は、天板部を覆う外筐がある場合に該外筐への荷重により天板部に荷重がかかってしまった場合に、突部によって応力が分散され、筐体内の各部の保護を図ることができる。
【００６５】
請求項３に記載した発明にあっては、筐体とカバー体とに両者の位置決めをするための位置決め部を設けたので、カバー体の筐体への取付時に、カバー体の筐体に対する位置決めを容易に行うことができる。
【００６６】
請求項４に記載した発明にあっては、カバー体の原材料の原色よりも光の吸収率の高い色でカバー体を形成したので、光学ピックアップの駆動時に発せられたレーザー光がカバー体に吸収され易く、レーザー光が外部へ漏れ難い。
【００６７】
請求項５に記載した発明にあっては、原材料に所定の顔料を含有させて着色しカバー体を形成したので、カバー体に着色を施す作業が容易であり作業性の向上を図ることができる。
【００６８】
請求項６に記載した発明にあっては、筐体がベースシャーシ上に配置され、筐体にカバー体を取り付けた状態において該カバー体の端縁がベースシャーシに密着するようにしたので、光学ピックアップの駆動によってレーザー光が発せられたときに筐体の外部へレーザー光の漏れが生じ難く、また、筐体内に塵埃が侵入し難い。
【図面の簡単な説明】
【図１】図２乃至図７と共に本発明ディスク記録及び／又は再生装置の実施の形態を示すものであり、本図は本発明を適用した光ディスク再生装置の概略分解斜視図である。
【図２】光ディスク再生装置の回路図である。
【図３】メカデッキブロックの筐体と該筐体に設けられた各部とをトレーが引き出された状態で一部を切り欠いて示す拡大斜視図である。
【図４】筐体とカバー体とが分離した状態を示す拡大分解斜視図である。
【図５】筐体とカバー体とが結合した状態を示す拡大分解斜視図である。
【図６】メカデッキブロックがベースシャーシに取り付けられた状態を示す拡大背面図である。
【図７】図４のＶＩＩ―ＶＩＩ線に沿う拡大断面図である。
【符号の説明】
１…光ディスク再生装置（ディスク記録及び／又は再生装置）、４…ベースシャーシ、２９…光学ピックアップ、３２…筐体、３３…カバー体、３５…プーリー支持部、３６…チャッキングプーリー、３７…位置決め部、３８…位置決め部、３９…位置決め部、４３…ディスクテーブル、４６…天板部、５０…突部、５１…突部、５２…突部、５３…突部、５４…突部、５５…位置決め部、５６…位置決め部、５７…位置決め部、１００…光ディスク（ディスク状記録媒体）
【図１】
0004171957.tif 000002
【図２】
0004171957.tif 000003
【図３】
0004171957.tif 000004
【図４】
0004171957.tif 000005
【図５】
0004171957.tif 000006
【図６】
0004171957.tif 000007
【図７】
0004171957.tif 000008